(57)【特許請求の範囲】
【請求項１】
交換可能な一対の側方アーム（６）を備える眼鏡であって、
夫々の前記側方アーム（６）がヒンジ式に回動可能に接続される側方突出部（７）を両端部に有する前フレーム（２）と、
夫々の前記側方アーム（６）と前記前フレーム（２）の前記側方突出部（７）を解除可能に結合する結合装置と、
を備え、
前記結合装置は、相互保持位置から離れる方向、および相互保持位置へ向かう方向に、互いに摺動自在に係合する第一および第二の結合要素（８、９）を備え、
前記第一および第二の結合要素（８、９）は、前記相互保持位置からの素早い結合解除のための構成を有し、
前記第一の結合要素（８）は、前記前フレーム（２）の対応する前記側方突出部（７）へのヒンジ接続を目的とし、
前記第二の結合要素（９）は、対応する前記側方アーム（６）に設けられ且つ前記第一の結合要素（８）が挿入され摺動自在に嵌合される座部（１２）を有し、
スナップ式結合により前記第一および第二の結合要素（８、９）を取り外し可能に互いに結合することによって、各前記側方アーム（６）の前記第一および第二の結合要素（８、９）の間では、弾性的且つ柔軟な保持を行う保持手段が提供され、
前記第一の結合要素（８）は、帯状の第一および第二の枝部（１３、１４）を有する帯状の本体（１１）を備え、
前記第一および第二の枝部（１３、１４）は、前記帯状の本体（１１）の共通部分（１５）から、平面視で長手方向に互いに平行に延在しており、
前記第一および第二の枝部（１３、１４）は、互いに間隔をあけて、帯の面（Ｐ）に対し実質的に垂直な第一の方向（Ｘ）に少なくとも部分的に傾斜して延在し、かつ、互いに間隔をあけて、前記帯の面（Ｐ）に対し実質的に平行な第二の方向（Ｙ）にも延在し、
前記第一の結合要素（８）の前記帯状の本体（１１）を前記第二の結合要素（９）の前記座部（１２）に挿入することにより、前記第一および第二の枝部（１３、１４）が、前記第一の方向（Ｘ）および前記第二の方向（Ｙ）の両方において、前記座部（１２）の対向する内側面（１２ａ、１２ｂ；１２ｃ、１２ｄ）に当接することによって、前記第一および第二の方向（Ｘ、Ｙ）の両方向において前記第一および第二の枝部（１３、１４）に生じた弾性応力の結果として、前記第一および第二の枝部（１３、１４）と前記側方アーム（６）の前記座部（１２）との係合が可能であり、
前記第二の枝部（１４）に設けられた押し込み付属物（１８）が貫通開口部（１９）に係合される
ことを特徴とする眼鏡。
【請求項２】
前記第一の結合要素（８）は、金属材料の帯によって形成され、前記第一および第二の枝部（１３、１４）は、弾性復元力を非変形位置に加えるために、弾性変形を受けることができ、前記弾性復元力は、対応する前記側方アーム（６）の前記座部（１２）への摩擦嵌合による前記帯の変形の結果として、前記第一および第二の枝部（１３、１４）に生成される、請求項１に記載の眼鏡。
【請求項３】
前記保持手段は、前記帯状の第一および第二の枝部（１３、１４）の一方に設けられた押し込み付属物（１８）の支持面（１８ａ）を備え、前記第一および第二の結合要素を軸方向に嵌合するため、前記第一の結合要素（８）の前記第二の結合要素（９）への嵌合ステップの完了後に、前記支持面（１８ａ）は、前記アームの面止め部（１９ａ）と接触可能であって、対応する前記帯状の第一および第二の枝部（１３、１４）の前記弾性復元力の動きに反する前記押し込み付属物（１８）に加えられた圧力の結果として、前記第一および第二の結合要素（８、９）が互いに摺動自在にするために、前記支持面（１８ａ）と前記止め部（１９ａ）は係合が解除される、請求項２に記載の眼鏡。
【請求項４】
前記押し込み付属物（１８）は、前記第一および第二の結合要素（８、９）の相互保持の状態において、前記アーム（６）の貫通開口部（１９）に収容され、前記止め部（１９ａ）は、前記貫通開口部（１９）の輪郭に沿って、前記貫通開口部（１９）の厚さ方向に形成される、請求項３に記載の眼鏡。
【請求項５】
前記帯状の第二の枝部（１４）は、長手方向の範囲および横幅の外形寸法において、前記帯状の第一の枝部（１３）の対応する外形寸法よりも大きく、前記押し込み付属物（１８）は、前記帯状の第二の枝部（１４）の一部に設けられる、請求項４に記載の眼鏡。
【請求項６】
前記第一の方向（Ｘ）において測定された前記アームの前記座部（１２）の内部横幅の寸法は、非変形状態における前記帯状の本体（１１）の対応する横幅よりも小さく、そのため、前記帯状の本体（１１）の前記座部（１２）への摩擦嵌合が、前記帯状の本体（１１）に弾性変形を生じさせ、その結果、弾性応力が、少なくとも前記第一の方向（Ｘ）に生成される、請求項１から５のいずれか１項に記載の眼鏡。
【請求項７】
前記第二の方向（Ｙ）において測定された前記側方アーム（６）の前記座部（１２）の内部横幅の寸法は、非変形状態における前記帯状の本体（１１）の対応する横幅よりも小さく、そのため、前記帯状の本体（１１）の前記座部（１２）への摩擦嵌合が、前記帯状の本体（１１）の弾性変形を生じさせ、前記第二の方向（Ｙ）に弾性応力をもたらす、請求項６に記載の眼鏡。
【請求項８】
前記座部（１２）の対向する内側面（１２ｃ、１２ｄ）は、前記第二の方向（Ｙ）において互いに対向し、所定の角度（Ａ）のテーパで互いに傾斜し、テーパの前記角度（Ａ）が前記座部（１２）の口部に向かって広がっている、請求項７に記載の眼鏡。
【請求項９】
前記貫通開口部（１９）に対向する前記座部（１２）の前記内側面（１２ｂ）は、対向する前記内側面（１２ａ）に向かって傾斜している端部を有し、傾斜している前記端部は、前記第二の枝部（１４）の自由端において延びている前記第二の枝部（１４）の先端部に接触可能である、請求項７または８に記載の眼鏡。
【請求項１０】
前記第一の結合要素（８）は、前記帯状の本体（１１）から延びているヒンジ要素（１０）を備え、ヒンジ軸（Ｃ）は、前記ヒンジ軸（Ｃ）の周囲において、前記前フレーム（２）の前記側方突出部（７）に設けられた第二のヒンジ要素（１０’）との、回動自在な接続のために画成され、前記帯状の本体（１１）は、前記ヒンジ軸（Ｃ）が前記第一の方向（Ｘ）に対して実質的に垂直に、または平行になるように形成され、前記押し込み付属物（１８）は、前記側方アーム（６）の横方向に、または９０°回転された位置に設けられるように形成される、請求項３から９のいずれか１項に記載の眼鏡。
【発明の詳細な説明】
【技術分野】
【０００１】
本発明は、請求項１の前提部に記載した特徴を有する、交換可能なアームを備える眼鏡に関する。
【背景技術】
【０００２】
本発明は、眼鏡フレームに関する特定の技術分野を含み、それに対して交換可能な側方アームを備えている。
【０００３】
このような権利は、利用者が交換可能なアームを利用して、異なる形状、材料、および色のアームを、同じ前フレームに連動させることを可能にすることで、フレームを自分好みに変更可能にする、高まる要求を満たしている。眼鏡を自分好みに変更するというこの分野で見られる問題の一つは、多くの者は適切な器用さや能力、および、一般的に小さな構成要素を有する取り付けおよび結合装置において作業するためのツールを有しておらず、その構成要素は、ねじ式の小さなシステムを有することもあり、かなり複雑で壊れやすく、変形や破損のリスクを伴い、有効性および信頼性に関して不利な点もあるため、眼鏡の前部におけるアームの交換可能な結合システムに関する技術は制限を伴う可能性を有していることである。従来技術において、眼鏡における交換可能なアームのためのクイック係合システムの利用を可能にする解決策が公知であり、その場合、一連のアームは、特定のツールを持たない非熟練者でも容易に取り扱うことを可能にするスナップ式接続を有するクイックフィット機構を用いて、前方部への係合を目的とするヒンジ要素の端部に接続することができる。
【０００４】
このような係合システムの一実施例は米国特許第６８３４９５２号から公知である。そこに記載されているシステムは、互いの部分を嵌合することで軸方向の固定が可能となる保持手段を備え、嵌合によって弾性且つ柔軟なプッシュボタンが形成され、保持手段の係合が解除されるまでそれが押されたとき、アームのフレームからの素早い係合解除を可能にし、アームの交換を容易にする。これらのクイックフィット係合システムに関する特定の分野においては、接続状態の安定性に関して制限を有している。実際に、従来のシステムでは、一方ではアームの容易且つ迅速な交換が可能となるが、他方では眼鏡の前フレームとアームの係合中および係合解除中の動きを容易にするために設けられた係合部の連結遊びによって、嵌合部分の接続における適切な安定性を保証していない。
【発明の概要】
【発明が解決しようとする課題】
【０００５】
本発明の主な目的は、公知の解決策を参照して上述した制限を克服するよう構造的且つ機能的に設計される、交換可能なアームを備える眼鏡を提供することである。
【課題を解決するための手段】
【０００６】
この目的および以下に記載されている他の目的は、添付請求項に従って構成された、交換可能なアームを備える眼鏡を用いた本発明によって達成される。
【図面の簡単な説明】
【０００７】
本発明の更なる特徴および利点は、添付図面を参照して非制限的に例示されている好ましい実施の形態の以下の詳細な説明から明らかになる。
【図１】図１は、本発明により構成された交換可能なアームを備える眼鏡フレームの平面図である。
【図２】図２は、図１の側面図である。
【図３】図３は、図１の眼鏡の交換可能なアーム部の部分斜視図であって、異なる動作状態を示している。
【図４】図４は、図１の眼鏡の交換可能なアーム部の部分斜視図であって、異なる動作状態を示している。
【図５】図５は、図１の眼鏡の交換可能なアーム部の部分斜視図であって、異なる動作状態を示している。
【図６】図６は、先行の図面の別の詳細な平面図である。
【図７】図７は、先行の図面の別の詳細な側面図である。
【図８】図８は、図５の詳細な軸方向断面図である。
【図９】図９は、図８の線ＩＸ−ＩＸに沿った断面図である。
【図１０】図１０は、図３の細部の別の斜視図である。
【発明を実施するための形態】
【０００８】
上述の図面には、本発明により構成された交換可能なアームを備える眼鏡１が全体として示されている。
【０００９】
眼鏡は、閉じた輪郭を有し、且つ中央鼻支持部４により接続されている、夫々がレンズを保持する円形部材３を含む、前フレーム２を備えている。レンズを保持する円形部材３は、夫々レンズ５を収容および保持するために設けられている。
【００１０】
前フレーム２には、夫々の側方アーム６との間の関節接続のための一対の対向する側方突出部７が設けられている。
【００１１】
また、眼鏡１は、対応する突出部７に対して各アーム６の結合が解除可能な装置を備えている。この結合装置は、左右各装置のアセンブリのための対応する構成要素の潜在的構造を除いて同一の機能を有するため、一方の装置だけを以下に詳細に説明する。
【００１２】
結合装置は、相互保持位置から離れる方向、および相互保持位置へ向かう方向に、互いに摺動自在に係合するために、およびこの位置からの素早い係合解除のために、第一の結合要素８および第二の結合要素９が設けられている。
【００１３】
第一の結合要素８は、フレームの対応する側方突出部７へのヒンジ接続を目的とし、その目的のために、要素の一方の端部に、対応する穴１０’と協働する一対のヒンジ式の穴１０を備えている。穴１０’は、穴１０および穴１０’に係合されるヒンジピン（図示せず）との関節接続のために側方突出部７に取り付けられている。関節接続されているヒンジ軸は、符号Ｃで示されている。
【００１４】
さらに第一の結合要素８は、帯状構造を有し、具体的には、金属材料の薄い帯によって形成されている本体１１を備え、理論上の帯の面Ｐが画成され、その帯の面Ｐは、変形していない平坦構造とみなした場合に、帯の両面と平行に延びていると理解されたい（帯の厚さはその面の間に画成される）。帯の面は、図７において、符号Ｐで示されている軸によって画成されている。
【００１５】
第二の結合要素９は、対応するアーム６に設けられ、且つ帯状の本体１１によって摺動自在に係合する座部１２を備えている。座部１２は、突出部７に面しているアームの端部６ａからアーム６の長手展開方向に細長い止まり穴によって画成されている。そのアームの端部において、上述の座部を画成している穴は、帯状の本体１１の挿入のための口部を画成するように開いている。以下でより明確に認識されるが、各アーム６の結合要素８と９との間では、スナップ式結合システムにより、当該結合要素８と９を軸方向に取り外し可能に互いに固定および保持する、弾性的且つ柔軟な保持を行う保持手段が提供される。
【００１６】
帯状の本体１１には、帯状の本体の共通部分１５から、主たる長手方向に互いに平行に延びている帯状の第一の枝部１３および第二の枝部１４が設けられている。さらに、帯状の枝部１３、１４は、互いに間隔をあけて、帯の面Ｐに対し実質的に垂直な第一の方向Ｘに、および帯の面Ｐに対し実質的に平行な第二の方向Ｙに延びている。その構造の結果、帯状の枝部１３、１４は、方向ＸおよびＹにおいてアームの座部１２と係合が可能となる外形寸法を有し、座部の対向する内側面１２ａ、１２ｂおよび１２ｃ、１２ｄのペアと対応する第一の方向（Ｘ）および第二の方向（Ｙ）に接触する。その接触部は、帯状の枝部１３、１４のそれらの方向における弾性応力の効果によってもたらされ、且つ帯が相対軸方向保持位置に達するまで座部に挿入される際の互いの相対摺動中における、座部１２と帯状の本体１１との接触によって形成される。
【００１７】
より詳細には、帯状の枝部１３は、他方の枝部の方向に傾斜している端部１３ａを除いて、大部分が帯の面Ｐと平行に延びている。また、枝部１３は、横方向に広がりを有し、方向Ｙにおいて帯の面と平行に測った場合に、枝部１４の対応する横幅よりも小さい。
【００１８】
帯状の枝部１４は、共通部分１５から延び、帯の面から傾斜して突出する第一の部分１４ａを有し、その第一の部分は帯の面と実質的に平行である第二の部分１４ｂまで延び、その第二の部分は、帯の面に向かうように傾斜している第三の部分１４ｃまで延びている。第三の部分１４ｃはさらに、図８の帯状の本体１１の構造に明確に図示されているように、帯の面から間隔をあけて、その帯の面と実質的に平行である直線状の輪郭を有する先端部となる第四の部分１４ｄまで延びている。
【００１９】
図９を参照すると、帯状の枝部１３の長さは、枝部１４よりも短い。枝部１４から延びた上述の先端部はさらに、座部１２を画成している穴の端部１６に収容されている。その穴の端部において、内側面基部１２ｂは、反対側の内側面１２ａに向けて傾斜している面を有し、その機能については、以下の説明において明確に記載されている。
【００２０】
第二の部分１４ｂの領域において帯状の枝部１４に取り付けられたプレート状の押し込み付属物が全体的に符号１８で示されており、その付属物は、アームの貫通開口部１９と実質的にぴったり合って係合するように形成されている。その開口部は、内側面１２ａの領域において、座部１２の内部の方向に開いている。
【００２１】
押し込み付属物１８が、開口部１９に係合されるために弾性に圧迫され、相互保持位置に達したときに、アーム６と帯状の本体１１を軸方向に嵌合するために、その付属物が座部１２の内部で、帯状の本体１１の軸方向保持手段として作用できるように、開口部１９の外形輪郭の厚さ部分によって画成される面止め部１９ａと接触可能な支持面１８ａが押し込み付属物１８に画成されている（図５）。
【００２２】
開口部１９の係合を解除させる（支持面１８ａを止め部１９ａから離す）ために、および帯の座部１２から摺動自在にするために、押し込み付属物１８に、帯状の本体１１の弾性付勢力とは逆の圧力を加えた結果として、相互保持位置から、その座部内での帯状の本体１１を摺動させることができる（図４）。その結果、押し込み付属物１８は、保持手段と、帯状の本体のアームからの素早い係合解除を可能にするために圧力を加えることができるプッシュ式手段との両手段として作用している。
【００２３】
図６を参照すると、帯の面Ｐにおいて第二の方向Ｙで測定された帯状の本体１１の空間的要件は、実質的に一定である。
【００２４】
さらに、対向する内側面１２ａ、１２ｂ間において第一の方向Ｘで測定されたアームの座部１２の内部横幅の寸法は、非変形状態とみなした場合、帯状の本体１１の対応する横幅よりも小さい。その構造の結果として、帯状の本体の座部内への挿入中に、帯状の本体は、（結合接触の影響により）第一の方向Ｘにおいて弾性的に変形し、幅が減少されることになる。枝部１３、１４の異なる寸法の効果のため、より柔軟性のある枝部１３が、帯の座部内への結合中に横方向に撓ませるものである。
【００２５】
（帯の変形によってもたらされた弾性復元力の影響の結果として）付属物１８と開口部１９が係合して収容され、帯状の本体が座部内に完全に嵌められた場合、帯状の本体には、その帯を座部の対向する内側面１２ａ、１２ｂに押し付ける傾向がある弾性付勢力が依然として生成され、方向Ｘにおける何らかの結合の遊びが低減およびほとんど排除され、そのため、帯と座部との間の相対的な相互嵌合の安定性に寄与する。
【００２６】
対向する内壁面１２ｃ、１２ｄの間において第二の方向Ｙで測定された座部１２の内部横幅の寸法は、座部の軸方向範囲において、一定ではない。実際には、内壁面１２ｃ、１２ｄは、座部の口部に向かって開いているテーパ角度Ａで互いに対して傾斜して所定の円錐形を有するように設けられている。好適な選択は、０．５°のテーパ角度を備え、それらの内壁面は、座部の狭い基部に関する限り、互いに傾斜している。
【００２７】
座部１２のこの漸進的に狭くなるという効果のため、（座部の口部の寸法に等しい一定の横幅寸法を有する）帯状の本体１１は、座部内での係合摺動中に、方向Ｙの弾性変形を受ける。実際には、より柔軟性のある枝部１３は、枝部１４の方向に曲げられており、弾性的に折れる傾向がある。弾性圧迫を結果としてもたらす帯のその変形は、寸法の違いによるあらゆる結合の遊びを補正して、座部内部での帯状の本体の結合安定性を確実にするある種の接触結合をもたらしている。
【００２８】
結合安定性がＸ方向およびＹ方向においてどのようにして同時に得られるかは、相互保持位置に達するまで相対的に摺動し接触する帯と座部間の効果により、帯状の本体にもたらされるそれらの方向への変形の結果において、観察することができ、押し込み付属物１８は結合要素８、９間との軸方向の嵌合を確実にしている。
【００２９】
座部の基部１６の領域における傾斜している内側面１２ｂは、帯状の本体とアームの座部の係合状態の解除を容易にするように形成されている。アームの外側から押し込み付属物１８に圧力が加えられると、その付属物に固定結合されている帯状の枝部１４は、その付属物が座部１２の内部で移動可能にするために弾性的に変形し（開口部１９の係合を解除する）、それによって、帯状の本体の取り外しのために、座部に関連する本体の軸方向の摺動を可能にする。押し込み付属物１８に圧力が加えられている間、枝部１４は、内側面１２ｂの傾斜部に接触し、その傾斜が、係合解除を容易にするのに帯を適切な変形に誘導し、押し込み付属物の反対側の座部内壁面に帯がぶつかるのを防いでいる。
【００３０】
記載されている実施例では、本体１１の帯の面Ｐは、ヒンジ軸Ｃと実質的に平行な方向で設けられている。その構造によれば、押し込み付属物１８はアームの側方面に設けられ、眼鏡が着用されている状態でも（外から）見える箇所にある。
【００３１】
その装置のアーム内部での異なる方向付けも可能であるが、記載されているものは好適な選択であることを理解すべきである。代替例として、例えば、上述した構造に対して９０°回転させたものにおいて、その装置が、ヒンジ軸Ｃが帯の面Ｐに対して垂直（すなわち、第二の方向Ｙ）になる方向に設けられることも可能であり、この場合、押し込み付属物はアームの下側に設けられ、眼鏡が着用された状態では（外から）見えない箇所となる。
【００３２】
したがって、本発明は、公知の解決策に関して記載されている利点をもたらすことにより、上述の目的を達成している。
【００３３】
主な利点は、本発明の結果として、眼鏡の前フレームへの交換可能なアームの結合中の安定性の改善が得られるということである。いかなる結合の遊びも排除された状態で、結合された部分の間の接触係合が改善され、同時にアーム自体の交換機能である、フレームからの素早いアームの係合解除という動作の容易さおよび単純さを可能にしている。
【図１】
0006606098.tif 000002
【図２】
0006606098.tif 000003
【図３】
0006606098.tif 000004
【図４】
0006606098.tif 000005
【図５】
0006606098.tif 000006
【図６−７】
0006606098.tif 000007
【図８】
0006606098.tif 000008
【図９】
0006606098.tif 000009
【図１０】
0006606098.tif 000010